(57)【特許請求の範囲】
【請求項１】
ケース本体部材と、前記ケース本体部材に開閉可能に装着されるケース蓋部材とを備え、前記ケース本体部材に前記ケース蓋部材を閉止状態で装着して形成されるケース内部に遊技機に搭載された電子部品を制御する制御基板を収容する基板ケースにおいて、
前記ケース本体部材に連結して設けられた本体側係合部と、前記ケース蓋部材に連結して設けられた蓋側係合部と、前記本体側係合部と前記蓋側係合部とを連結可能な接続部材とを備え、
前記接続部材を用いて前記本体側係合部と前記蓋側係合部とを連結させることで前記ケース蓋部材が前記ケース本体部材に閉止状態で装着された状態を保持し、前記本体側係合部および前記蓋側係合部の少なくともいずれかにおける前記ケース本体部材もしくは前記ケース蓋部材との連結部を切断することで前記ケース本体部材から前記ケース蓋部材を開放することができるように構成された基板ケースの不正開放防止機構であって、
前記本体側係合部が、
前記ケース本体部材に一体に設けられ、前記蓋側係合部と連結される側の一端が開口した本体側収容空間が形成された本体側収容部と、
前記本体側収容空間内に固設されて前記接続部材と係合可能な本体側係合補助部材とから構成され、
前記蓋側係合部が、
前記ケース蓋部材に一体に設けられ、前記本体側係合部と連結される側の一端が開口した蓋側収容空間が形成された蓋側収容部と、
前記蓋側収容空間内に固設されて前記接続部材と係合可能な蓋側係合補助部材とから構成されており、
前記接続部材を前記本体側係合補助部材と前記蓋側係合補助部材とに係合させることにより、前記本体側係合部と前記蓋側係合部とが連結されるように構成されていることを特徴とする基板ケースの不正開放防止機構。
【請求項２】
前記本体側係合補助部材が前記接続部材の一端側を収容して係合可能な本体側係合空間を有して構成され、前記本体側係合空間が前記蓋側係合部と連結される側に開口するようにして前記本体側係合補助部材が前記本体側収容空間内に収容されるとともに溶着もしくは接着されて前記本体側係合部に固設され、
前記蓋側係合補助部材が前記接続部材の他端側を収容して係合可能な蓋側係合空間を有して構成され、前記蓋側係合空間が前記本体側係合部と連結される側に開口するようにして前記蓋側係合補助部材が前記蓋側収容空間内に収容されるとともに溶着もしくは接着されて前記蓋側係合部に固設されていることを特徴とする請求項１に記載の基板ケースの不正開放防止機構。
【請求項３】
前記本体側係合部および前記蓋側係合部が透明樹脂材料から作られ、前記本体側係合補助部材および前記蓋側係合補助部材が有色樹脂材料から作られていることを特徴とする請求項１もしくは２に記載の基板ケースの不正開放防止機構。
【発明の詳細な説明】
【０００１】
【発明の属する技術分野】
本発明は、パチンコ機やスロットマシン等の遊技機において遊技機の作動を制御する制御基板等を収容する基板ケースに関し、さらに詳しくは、制御基板等を収容した状態の基板ケースを不正に開放できなくして制御基板等に対する不正行為を防止する基板ケースの不正開放防止機構に関する。
【０００２】
【従来の技術】
パチンコ機やスロットマシン等の遊技機では遊技機の作動を制御する制御基板が設けられている。例えば、パチンコ遊技機では外枠に対して開閉可能に組み付けられた前枠裏側の収容枠に遊技盤及び裏機構盤が装備され、この裏機構盤に制御基板が取り付けられている。スロットマシンにおいても同様に、開閉カバーの裏面に制御基板が取り付けられている。
【０００３】
これらの制御基板は、賞球もしくはメダルの払出制御、電動役物の開閉制御、リールの回転制御、図柄組み合わせの発生確率制御など、パチンコ遊技機もしくはスロットマシンの作動を制御する基板であり、遊技機の制御ソフトウェアが記録されたＲＯＭが搭載されて遊技機の作動を制御する中枢制御装置としての役割を有している。このため、制御基板は偽造ＲＯＭへの差し替え等の不正改造を受け難いように基板ケース内に収容されるとともに、この基板ケースはケースを開いたときにその痕跡が残るような不正開放（もしくは不正着脱）防止手段が設けられて構成されている。
【０００４】
このような不正開放防止手段として、例えば、切断可能な複数のネジ締結対を特殊ネジで締結する手段がある。これは、ケース本体部材とこのケース本体部材に開閉自在に装着されるケース蓋部材とからなる基板ケースにおいて、ケース本体部材及びケース蓋部材のそれぞれの側縁部に相対応するネジ螺合部及びネジ貫通部からなるネジ締結対を複数対形成し、このうち少なくとも１対のネジ螺合部とネジ貫通部とを締め込み方向にのみ操作可能な特殊ネジ（ネジ頭部のスリ割りがネジ締め方向のみに係合部を有して形成され、緩める方向の係合部が螺旋状に除去されているネジ、以下本明細書で「一方向ネジ」という）で締結する構成からなっている。なお、この構成において、ケース蓋部材とネジ貫通部との間には切断可能な切断部が形成されている。例えば、特開平１０−３２８３８５号公報や、特開平１１−２２６２２０号公報にこのような構成が開示されている。
【０００５】
上記の不正開放防止手段では、管理者が制御基板の保守点検等のために基板ケースを開くときには、一方向ネジで締結された締結対の切断部をニッパ等の工具で切断し、ネジ貫通部をケース蓋部材から切り離すことでケース蓋部材とケース本体部材との接続を解除してケース蓋部材を開放する。このようにケース蓋部材を開放して保守点検が行われるが、この保守点検完了後には未だ締結していない他の締結対を一方向ネジを用いて締結しケース本体部材にケース蓋部材を装着・閉鎖する。さらに、基板ケースには基板管理番号と開封履歴を表示する基板管理シールが貼られており、開封した管理者がこの基板管理シールに開封年月日と開封者氏名を記載して管理するようになっている。
【０００６】
上記のような不正開放防止手段によれば、一方向ネジは一般にネジを緩める方向に回転させることができず、基板ケースを開く時には切断部を切り離す必要があることから、基板ケース開放後にその切断痕跡が明確に残り、不正な開封を早期に発見することができる。
【０００７】
【特許文献１】
特開平１０−３２８３８５号公報
【特許文献２】
特開平１１−２２６２２０号公報
【０００８】
【発明が解決しようとする課題】
しかしながら、上記の不正開放防止手段では、締結手段として一方向ネジを使用しているため、ネジ締結対を締結させる際にはドライバ等の工具を用いなければならず、締結作業が面倒なものとなっていた。また、基板ケースが不正開放された後、複製した基板ケースに制御基板等が移し替えられてしまうと、基板ケース開放時の切断痕跡が残らず、不正な開封を早期に発見できなくなるおそれがあった。
【０００９】
本発明は、このような問題に鑑みて成されたものであり、より簡便な構成で複製されにくい基板ケースの不正開放防止機構を提供することを目的とする。
【００１０】
【課題を解決するための手段】
このような目的達成のため、本発明に係る基板ケースの不正開放防止機構は、ケース本体部材と、ケース本体部材に開閉可能に装着されるケース蓋部材とを備え、ケース本体部材にケース蓋部材を閉止状態で装着して形成されるケース内部に遊技機に搭載された電子部品を制御する制御基板を収容する基板ケースにおいて、ケース本体部材に連結して設けられた本体側係合部と、ケース蓋部材に連結して設けられた蓋側係合部と、本体側係合部と蓋側係合部とを連結可能な接続部材とを備え、接続部材を用いて本体側係合部と蓋側係合部とを連結させることでケース蓋部材がケース本体部材に閉止状態で装着された状態を保持し、本体側係合部および蓋側係合部の少なくともいずれかにおけるケース本体部材もしくはケース蓋部材との連結部を切断することでケース本体部材からケース蓋部材を開放することができるように構成された基板ケースの不正開放防止機構である。
【００１１】
そして、この不正開放防止機構は、本体側係合部が、ケース本体部材に一体に設けられ、蓋側係合部と連結される側の一端が開口した本体側収容空間が形成された本体側収容部と、本体側収容空間内に固設されて前記接続部材と係合可能な本体側係合補助部材とから構成され、蓋側係合部が、ケース蓋部材に一体に設けられ、本体側係合部と連結される側の一端が開口した蓋側収容空間が形成された蓋側収容部と、蓋側収容空間内に固設されて接続部材と係合可能な蓋側係合補助部材とから構成されており、接続部材を本体側係合補助部材と蓋側係合補助部材とに係合させることにより、本体側係合部と蓋側係合部とが連結されるように構成されている。
【００１２】
このような構成の基板ケースの不正開放防止機構によれば、接続部材を本体側係合補助部材と蓋側係合補助部材とに係合させることにより、本体側係合部と蓋側係合部とが連結されるため、本体側係合部と蓋側係合部とを容易に連結させることができ、ケース本体部材とケース蓋部材とを閉止状態で容易に結合保持することができる。
【００１３】
また、本体側係合部および蓋側係合部の少なくともいずれかにおけるケース本体部材もしくはケース蓋部材との連結部が切断可能に構成されているため、この連結部を切断すればケース本体部材からケース蓋部材を外すことができるが、このように連結部を切断したときにはその破壊痕跡が残るためこれを容易に発見でき、不正行為を効果的に抑止できる。さらに、本体側係合部が別体の本体側収容部と本体側係合補助部材とから構成され、蓋側係合部が別体の蓋側収容部と蓋側係合補助部材とから構成されるため、本体側係合部および蓋側係合部（すなわち、ケース本体部材およびケース蓋部材）の複製がより難しくなり、不正行為の抑止が期待できる。
なお、本体側係合補助部材が接続部材の一端側を収容して係合可能な本体側係合空間を有して構成され、本体側係合空間が蓋側係合部と連結される側に開口するようにして本体側係合補助部材が本体側収容空間内に収容されるとともに溶着もしくは接着されて本体側係合部に固設され、蓋側係合補助部材が接続部材の他端側を収容して係合可能な蓋側係合空間を有して構成され、蓋側係合空間が本体側係合部と連結される側に開口するようにして蓋側係合補助部材が蓋側収容空間内に収容されるとともに溶着もしくは接着されて蓋側係合部に固設されるのが好ましい。さらに、本体側係合部および蓋側係合部が透明樹脂材料から作られ、本体側係合補助部材および蓋側係合補助部材が有色樹脂材料から作られているのが好ましい。これにより、本体側係合部および蓋側係合部（すなわち、ケース本体部材およびケース蓋部材）の複製等の不正行為をより確実に防止できる。
【００１４】
【発明の実施の形態】
以下、本発明の好ましい実施形態について図面を参照しながら説明する。本発明に係る基板ケースの不正開放防止機構を備えた遊技機の代表例としてパチンコ機ＰＭを図１および図２に示しており、まず、これらの図面を参照しながらパチンコ機ＰＭの全体構成について要約説明する。ここで、図１はパチンコ機ＰＭの正面図、図２はパチンコ機ＰＭの背面図である。
【００１５】
パチンコ機ＰＭは外郭方形枠サイズに構成されて縦向きの固定保持枠をなす外枠１の開口前面に、これに合わせた方形枠サイズに構成される開閉搭載用の前枠２が互いの正面左側上下に配設されたヒンジ部材３ａ，３ｂで横開き開閉および着脱が可能に取り付けられ、正面右側に設けられた施錠装置４を利用して常には外枠１と係合された閉鎖状態に保持される。
【００１６】
前枠２の各部にはパチンコ遊技を展開する遊技展開部材として、前枠２の前側面域に合わせた方形状のガラス扉５および球皿６が正面左側部に設けられたヒンジ機構７ａ，７ｂ，７ｃを利用して横開き開閉および着脱が可能に組付けられ、球皿６の右側下部には遊技球の発射操作を行う操作ハンドル８が装備されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５に遊技盤正面の遊技領域ＰＡを臨ませている。
【００１７】
前枠２の裏面側には、中央に前後連通する窓口を有して前枠２よりもやや小型の方形枠状に形成された裏セット盤３０が、前枠２の裏面に設けられた複数のレバーＬ，Ｌ…を利用して着脱可能にセット保持される。裏セット盤３０の各部には遊技球を貯留する球貯留タンク３１、タンクレール３２、整列待機通路３３、賞球カセット３４、賞球排出通路３５などの賞球装置が装備されるとともに、裏面各部に電源基板アッセンブリ４０や主基板アッセンブリ５０等の各種制御基板アッセンブリが取り付けられている。
【００１８】
球皿６に前面側が覆われた前枠２の下部領域には遊技補助盤（図示せず）と称される補助機構部が形成されており、この遊技補助盤の各部に、打球発射装置（図示せず）や、裏セット盤３０側の賞球排出通路３５と繋がり球皿６に排出できない遊技球を一時貯留する貯留カセット（図示せず）などが設けられている。
【００１９】
パチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置により１球ずつ遊技盤１０の遊技領域ＰＡに打ち出され、以降パチンコゲームが展開される。
【００２０】
以上のように概要構成されるパチンコ機ＰＭにあって、主基板アッセンブリ５０に不正開放防止機構が設けられている。以下、主基板アッセンブリ５０について図３〜図８を参照しながら説明する。ここで、図３は主基板アッセンブリ５０の斜視図、図４は主基板アッセンブリ５０の側断面図、図５は主基板アッセンブリ５０の分解斜視図、図６は主基板アッセンブリ５０に構成されるケース蓋部材７０の背面図、図７（ａ）は係止アーム６３が係止突起７５に係止した状態を示す拡大図、図７（ｂ）は係止アーム６３が係止突起７５に係止した状態を示す拡大側断面図、図８（ａ）は係止アーム６３が係止突起７５に係止する前の状態を示す拡大図、そして図８（ｂ）は係止アーム６３が係止突起７５に係止する前の状態を示す拡大側断面図である。
【００２１】
主基板アッセンブリ５０は、図３〜図５に示すように、パチンコ機ＰＭの作動を統括的に制御する主制御基板５１と、主制御基板５１を内部に収容する主基板ケース５５とを主体に構成される。さらに、主基板ケース５５は、パチンコ機ＰＭの裏セット盤３０に固定されるケース本体部材６０と、ケース本体部材６０に開閉自在に取り付けられるケース蓋部材７０と、主制御基板５１の裏面側を覆う内部カバー８０とを備え、主制御基板５１および内部カバー８０がケース蓋部材７０の内面側に取り付けられた状態で、ケース蓋部材７０をケース本体部材６０へ装着可能に構成される。
【００２２】
主制御基板５１は、図５に示すように、主制御基板５１の中央部に配設されたＣＰＵ５２や、主制御基板５１の左側に配設された左側接続コネクタ５３，５３，…、主制御基板５１の右側に配設された右側接続コネクタ５４，５４，…等の電子部品を有して構成される。主制御基板５１の四隅には、基板取付孔５１ａ，５１ａ，…が形成されており、ケース蓋部材７０に形成された基板取付部７１のボス部７１ｂと嵌合するようになっている。主制御基板５１の縁部近傍三箇所には、ピン孔５１ｂ，５１ｂ，５１ｂが形成されており、内部カバー８０の位置決めピン８１，８１，８１と嵌合するようになっている。
【００２３】
ケース本体部材６０は、前面側に開口を有する矩形箱状の形態をなし、ＡＢＳ樹脂やポリカーボネート（ＰＣ）等の透明な樹脂材料を用いて射出成形等の成形手段により一体的に成形される。ケース本体部材６０の底部には、補強リブ６１が縦横に形成されており、ケース本体部材６０の強度を向上させるとともに、ケース内部に収容された内部カバー８０が当接して受け止められるようになっている。
【００２４】
ケース本体部材６０の左端部にはヒンジ軸６２，６２が形成されており、ケース蓋部材７０のヒンジアーム７４，７４とそれぞれヒンジ係合するようになっている。ケース本体部材６０の上下側壁外面には、前方に突出する係止アーム６３，６３が形成されており、図７および図８に示すように、ケース蓋部材７０の係止突起７５，７５にそれぞれ係止するようになっている。
【００２５】
ケース本体部材６０の縁部内側には、内側ガードリブ６４が突出して形成されており、ケース蓋部材７０がケース本体部材６０に装着されるときに、ケース蓋部材７０の外側ガードリブ７８の内側に位置するようになっている。ケース本体部材６０の縁部外側には、縁部当接部６５が内側ガードリブ６４に繋がって形成されており、ケース蓋部材７０がケース本体部材６０に装着されるときに、外側ガードリブ７８が縁部当接部６５と当接するようになっている。
【００２６】
ケース蓋部材７０は、ケース本体部材６０の開口を覆う矩形箱状の形態をなし、ＡＢＳ樹脂やポリカーボネート（ＰＣ）等の透明な樹脂材料を用いて射出成形等の成形手段により一体的に成形される。図６および図１８に示すように、ケース蓋部材７０の裏面側（内面側）四隅には、ボス形状の基板取付部７１，７１，…がネジ孔７１ａ，７１ａ，…を有して形成されており、主制御基板５１および内部カバー８０が基板取付ネジ８９によりネジ固定されてケース蓋部材７０の内面側に取り付けられるようになっている。
【００２７】
基板取付部７１の先端部には、主制御基板５１と同等の厚さを有し、主制御基板５１の基板取付孔５１ａより僅かに小さい径を有するボス部７１ｂが、基板取付部７１の先端において主制御基板５１の前面が当接する基板取付面７１ｃ（図１８を参照）より突出して形成されており、基板取付孔５１ａと嵌合可能に構成されている。
【００２８】
ケース蓋部材７０の左側には、左コネクタ開口部７２が形成されており、図３および図１７に示すように、ケース蓋部材７０がケース本体部材６０に装着された状態で、主制御基板５１の左側接続コネクタ５３，５３，…が外部に露出するように構成されている。ケース蓋部材７０の右側には、右コネクタ開口部７３，７３，…が形成されており、ケース蓋部材７０がケース本体部材６０に装着された状態で、主制御基板５１の右側接続コネクタ５４，５４，…が外部に露出するように構成されている。なお、左右のコネクタ開口部７２，７３の周部（リブの部分）は、主制御基板５１の前面側に当接することが好ましい。これにより、左右のコネクタ開口部７２，７３から針金やセル板等の道具がケース内部に挿入されるのを防止することができる。
【００２９】
ケース蓋部材７０の左端部には、図６に示すように、ヒンジアーム７４，７４が形成されており、ケース本体部材６０のヒンジ軸６２，６２とそれぞれヒンジ係合するようになっている。そして、ケース本体部材６０のヒンジ軸６２，６２とケース蓋部材７０のヒンジアーム７４，７４とをそれぞれヒンジ係合させることで、ケース蓋部材７０がケース本体部材６０に対しヒンジ軸６２を中心軸として揺動開閉自在に取り付けられる。
【００３０】
ケース蓋部材７０の上下側壁外面には、ケース本体部材６０の係止アーム６３，６３とそれぞれ係止可能な係止突起７５，７５が形成されている。そして、図７（ａ）に示すように、ケース蓋部材７０をケース本体部材６０の上に重ねて（揺動させて）閉止状態にすると、係止アーム６３，６３が係止突起７５，７５にそれぞれ係止して、ケース蓋部材７０がケース本体部材６０に対して閉止状態のまま装着保持されるようになっている。
【００３１】
係止突起７５の前方（図７および図８における上方）には係止補助突起７６が形成されており、図７（ａ）に示すように、係止アーム６３が係止突起７５に係止した状態で、係止補助突起７６が係止アーム６３の先端に（係止突起７５と反対側に）隣接するようになっている。これにより、係止アーム６３の先端に指または道具を引っ掛けることが難しくなるため、係止アーム６３の係止突起７５に対する係止状態が容易に解除されることを防止することができる。
【００３２】
なお、係止補助突起７６は、係止アーム６３が係止突起７５に係止した状態で、係止アーム６３の先端および両側部に隣接するように形成されてもよい。このようにすれば、係止アーム６３の先端に加え係止アーム６３の両側部に指または道具を引っ掛けることが難しくなるため、係止アーム６３の係止突起７５に対する係止状態が容易に解除されることをより確実に防止することができる。
【００３３】
係止突起７５の右方（図６における左方）には、指掛け部７７，７７が形成されており、係止アーム６３が係止突起７５に係止していない状態で、作業者がこの指掛け部７７，７７に指を掛けることで、ケース蓋部材７０をケース本体部材６０に対して揺動開閉させ易いようになっている。
【００３４】
ケース蓋部材７０の縁部外側には、外側ガードリブ７８が突出して形成されており、図７（ｂ）に示すように、ケース蓋部材７０がケース本体部材６０に装着されるときに、ケース本体部材６０における内側ガードリブ６４の外側に位置して、ケース本体部材６０の縁部当接部６５に当接するようになっている。
【００３５】
これにより、ケース蓋部材７０の縁部（外側ガードリブ７８）とケース本体部材６０の縁部（縁部当接部６５）との間に若干の隙間を生じさせて、この隙間から針金やセル板等の道具（図示せず）をケース内部に挿入しようとしても、これらの道具をケース蓋部材７０の外側ガードリブ７８とケース本体部材６０の内側ガードリブ６４との間に形成されたラビリンス形状の僅かな隙間に通過させなければならないため、針金やセル板等の道具がケース内部に不正に挿入されるのを防止することができる。
【００３６】
ケース蓋部材７０の縁部内側には、基板当接部７９が形成されており、図４に示すように、主制御基板５１がケース蓋部材７０の内面側に取り付けられたときに、主制御基板５１の縁部と当接して主制御基板５１におけるケース蓋部材７０と対向する面（すなわち、主制御基板５１の前面側）がケース蓋部材７０に覆われるように構成されている。
【００３７】
これにより、基板当接部７９が主制御基板５１の縁部と当接して、主制御基板５１におけるケース蓋部材７０と対向する面がケース蓋部材７０に覆われる状態で主制御基板５１がケース蓋部材７０の内面側に取り付けられているため、ケース本体部材６０とケース蓋部材７０との隙間から針金やセル板等の道具がケース内部に挿入されても、これらの道具は主制御基板５１におけるケース蓋部材７０と対向する面に到達できないことから、主制御基板５１に対する不正行為をより確実に防止することができる。
【００３８】
内部カバー８０は、主制御基板５１の形状に合わせた矩形板状の形態をなし、ＡＢＳ樹脂やポリカーボネート（ＰＣ）等の透明な樹脂材料を用いて一体的に形成される。内部カバー８０の縁部近傍三箇所には、位置決めピン８１，８１，８１が形成されており、主制御基板５１のピン孔５１ｂ，５１ｂ，５１ｂとそれぞれ嵌合して、内部カバー８０が主制御基板５１の裏面側にちょうど重なるようになっている。さらに、位置決めピン８１は、主制御基板５１のピン孔５１ｂと嵌合した状態で、ケース蓋部材７０に形成された蓋側ピン孔８５（図６を参照）に嵌入されるようになっている。
【００３９】
内部カバー８０の四隅には、内部カバー取付部８２，８２，…がネジ通過孔８２ａ，８２ａ，…を有して形成されており、基板取付ネジ８９によりケース蓋部材７０の基板取付部７１，７１，…にネジ固定されるようになっている。そして、主制御基板５１を所定方向に向けた状態で、基板取付部７１のボス部７１ｂに主制御基板５１の基板取付孔５１ａを嵌合させ、さらに、内部カバー８０の位置決めピン８１を主制御基板５１のピン孔５１ｂに嵌合させるとともにケース蓋部材７０の蓋側ピン孔８５に嵌入して、内部カバー８０を主制御基板５１の裏面側に重ねて載置した状態で、基板取付ネジ８９を内部カバー８０のネジ通過孔８２ａに通過させ基板取付部７１のネジ孔７１ａにネジ固定することにより、主制御基板５１および内部カバー８０がケース蓋部材７０の内面側に取り付けられる。
【００４０】
内部カバー８０の縁部には、周囲リブ８３が主制御基板５１の縁部と当接可能に形成されており、周囲リブ８３が主制御基板５１の縁部と当接した状態で、内部カバー８０により主制御基板５１におけるケース本体部材６０と対向する面（すなわち、主制御基板５１の裏面側）が覆われるように構成されている。
【００４１】
これにより、内部カバー８０の周囲リブ８３が主制御基板５１の縁部と当接し、主制御基板５１におけるケース本体部材６０と対向する面が内部カバー８０に覆われる状態となるため、ケース本体部材６０とケース蓋部材７０との隙間から針金やセル板などの道具がケース内部に挿入されても、これらの道具は主制御基板５１における（ケース蓋部材７０と対向する面に加えて）ケース本体部材６０と対向する面に到達できないことから、主制御基板５１に対する不正行為をより確実に防止することができる。
【００４２】
このようにして、ケース蓋部材７０がケース本体部材６０の開口を覆う閉止状態でケース本体部材６０に装着されているときには、係止アーム６３が係止突起７５に係止しているだけであり、ケース蓋部材７０をケース本体部材６０に対して容易に開放させることができる。そこで、閉止状態で装着されたケース蓋部材７０を開放できなくして不正操作を防止するために、基板アッセンブリ５０には不正開放防止機構が設けられている。そこで、図９〜１８図を追加参照しつつ、基板アッセンブリ５０に設けられた不正開放防止機構１００について以下に詳しく説明する。
【００４３】
ここで、図９は不正開放防止機構１００に構成される本体側係合部１１０の分解斜視図、図１０は不正開放防止機構１００に構成される蓋側係合部１２０の分解斜視図、図１１は本体側係合部１１０の正面図、図１２は蓋側係合部１２０の背面図、図１３は不正開放防止機構１００に構成される接続部材１５０の斜視図、図１４は図１３中の接続部材１５０を反対側から見た斜視図である。
【００４４】
また、図１５（ａ）は接続部材１５０の長方形断面における長辺方向から見た側面図、図１５（ｂ）は図１５（ａ）中の矢印XV−XVに沿った平断面図、図１６（ａ）は接続部材１５０の長方形断面における短辺方向から見た側面図、図１６（ｂ）は図１６（ａ）中の矢印XVI−XVIに沿った平断面図、図１７は閉止状態の主基板アッセンブリ５０の側断面図、そして図１８は開放状態の主基板アッセンブリ５０の側断面図である。
【００４５】
不正開放防止機構１００は、ケース本体部材６０に連結して設けられた４つの本体側係合部１１０，１１０，…と、ケース蓋部材７０に連結して設けられた４つの蓋側係合部１２０，１２０，…と、本体側係合部１１０と蓋側係合部１２０とをそれぞれ連結させる４つ接続部材１５０，１５０，…とを備え、ケース蓋部材７０をケース本体部材６０へ装着したときに本体側係合部１１０と蓋側係合部１２０とを連結可能に構成される。
【００４６】
本体側係合部１１０は、ケース本体部材６０に一体に設けられた本体側収容部１１１と、本体側収容部１１１に固設された本体側係合補助部材１３０とから構成される。本体側収容部１１１は、図９に示すように、ケース本体部材６０の右端において、前面側（図９における上方）が開口した直方体箱状にケース本体部材６０と（透明な樹脂材料を用いて）一体に形成される。また、本体側収容部１１１の内部には、本体側係合補助部材１３０を収容可能な本体側収容空間ＨＳ１が形成される。本体側収容部１１１の内面側における長方形断面の短辺を形成して対向する２面には、本体側取付ガイド溝１１２，１１２が凹状に形成されており、本体側係合補助部材１３０の本体側取付ガイド部１３１，１３１とそれぞれ係合するようになっている。
【００４７】
本体側収容部１１１の前面側縁部における長方形断面の長辺を形成して対向する２辺には、本体側連結ガイドリブ１１３，１１３が突出して形成されており、蓋側係合部１２０の蓋側リブ係合部１２４，１２４とそれぞれ係合するようになっている。本体側収容部１１１の前面側縁部における長方形断面の短辺を形成して対向する２辺には、本体側リブ係合部１１４，１１４が形成されており、蓋側係合部１２０の蓋側連結ガイドリブ１２３，１２３とそれぞれ係合するようになっている。
【００４８】
蓋側係合部１２０は、ケース蓋部材７０に一体に形成された蓋側収容部１２１と、蓋側収容部１２１に固設された蓋側係合補助部材１４０とから構成される。蓋側収容部１２１は、図１０に示すように、ケース蓋部材７０の右端において、裏面側（図１０における上方）が開口した直方体箱状にケース蓋部材７０と一体に形成され、ケース蓋部材７０をケース本体部材６０へ装着したときに本体側収容部１１１と対向して重なるように構成される。また、蓋側収容部１２１の内部には、蓋側係合補助部材１４０を収容可能な蓋側収容空間ＨＳ２が形成されている。蓋側収容部１２１の内面側における長方形断面の長辺を形成して対向する２面には、蓋側取付ガイド溝１２２，１２２が凹状に形成されており、蓋側係合補助部材１４０の蓋側取付ガイド部１４１，１４１とそれぞれ係合するようになっている。
【００４９】
蓋側収容部１２１の裏面側縁部における長方形断面の短辺を形成して対向する２辺には、蓋側連結ガイドリブ１２３，１２３が突出して形成されており、蓋側収容部１２１が本体側収容部１１１と対向して重なるときに、本体側収容部１１１の本体側リブ係合部１１４，１１４とそれぞれ係合するようになっている。蓋側収容部１２１の裏面側縁部における長方形断面の長辺を形成して対向する２辺には、蓋側リブ係合部１２４，１２４が凹状に形成されており、蓋側収容部１２１が本体側収容部１１１と対向して重なるときに、本体側収容部１１１の本体側連結ガイドリブ１１３，１１３とそれぞれ係合するようになっている。
【００５０】
これにより、蓋側収容部１２１が本体側収容部１１１と対向して重なるときに、本体側連結ガイドリブ１１３，１１３と蓋側リブ係合部１２４，１２４とがそれぞれ係合するとともに、蓋側連結ガイドリブ１２３，１２３と本体側リブ係合部１１４，１１４とがそれぞれ係合するため、蓋側収容部１２１（蓋側係合部１２０）の本体側収容部１１１（本体側係合部１１０）に対する位置合わせをより確実に行うことができる。
【００５１】
蓋側係合部１２０（蓋側収容部１２１）とケース蓋部材７０との連結部１２５（図６および図１２を参照）は切断可能に構成されており、この連結部１２５を切断して蓋側係合部１２０（蓋側収容部１２１）とケース蓋部材７０とを分離することができるようになっている。なお、前述したように、主基板ケース５５（ケース本体部材６０およびケース蓋部材７０）の材料として透明な樹脂材料を使用しているが、その中でもＡＢＳ樹脂を使用することが好ましい。これにより、上記のような部材に対する切断操作を行うと、ＡＢＳ樹脂の成分であるブタジエンがゴム性を有して伸び、部材が割れずに白化しやすいため、その切断痕跡が明確に残りやすいという効果が得られる。また、主基板ケース５５を無理にこじ開けようとしても、同様に部材が白化して（こじ開けた）痕跡が明確に残りやすいという効果が得られる。
【００５２】
本体側係合補助部材１３０は、図９に示すように、前面側（図９における上方）に開口を有する直方体箱状の形態をなし、ＡＢＳ樹脂やポリカーボネート（ＰＣ）等による有色半透明な樹脂材料を用いて射出成形等の成形手段により一体的に成形され、本体側収容部１１１の本体側収容空間ＨＳ１内へ収容可能に構成される。また、本体側係合補助部材１３０の内部には、接続部材１５０の半分を収容可能な本体側係合空間ＣＳ１が形成される。
【００５３】
本体側係合補助部材１３０の外面側における長方形断面の短辺を形成して対向する２面には、本体側取付ガイド部１３１，１３１が凸状に形成されており、本体側収容部１１１の本体側取付ガイド溝１１２，１１２とそれぞれ係合するようになっている。そして、本体側収容部１１１の開口側（前面側）から、本体側取付ガイド部１３１，１３１を本体側取付ガイド溝１１２，１１２と係合させつつ本体側係合補助部材１３０を本体側収容部１１１の本体側収容空間ＨＳ１内へ挿入し、この状態で本体側係合補助部材１３０を本体側収容部１１１に溶着させることにより、図１１に示すように、本体側係合補助部材１３０が本体側収容部１１１の本体側収容空間ＨＳ１内に固設される。なお、本体側係合補助部材１３０を本体側収容部１１１に固定する手段として、溶着に限らず、例えば接着剤等を使用してもよい。
【００５４】
このとき、本体側係合補助部材１３０が本体側収容部１１１の本体側収容空間ＨＳ１内に固設されることで、本体側収容部１１１、すなわち本体側係合部１１０の内部に本体側係合空間ＣＳ１が（本体側収容空間ＨＳ１に替わり）形成される。このようにして、本体側係合部１１０が別体の本体側収容部１１１と本体側係合補助部材１３０とから構成されているため、本体側係合部１１０（すなわち、ケース本体部材６０）の複製がより難しくなり、不正行為の抑止が期待できる。また、本体側収容部１１１の材質が透明の樹脂材料であるのに対し、本体側係合補助部材１３０の材質は本体側収容部１１１と異なる有色半透明の樹脂材料であるため、本体側収容部１１１に正規の本体側係合補助部材１３０が固設されているか否か、すなわちケース本体部材６０が複製品であるか否かを容易に判別することができる。
【００５５】
本体側係合補助部材１３０における長方形断面の短辺を形成して対向する２面には、本体側穴部１３２，１３２が形成されており、接続部材１５０の本体側係合突起１５１，１５１と係合可能に構成されている。なお、図１１に示すように、本体側係合補助部材１３０が本体側収容部１１１に固設された状態では、本体側穴部１３２の外側は本体側収容部１１１に塞がれ、本体側係合補助部材１３０、すなわち本体側係合部１１０の内面側における長方形断面の短辺を形成して対向する２面には、接続部材１５０の本体側係合突起１５１と係合可能な本体側凹部１３２ａが形成される。
【００５６】
本体側係合補助部材１３０の内面側における長方形断面の長辺を形成して対向する２面には、本体側突起ガイド部１３３，１３３が形成されており、接続部材１５０の蓋側係合突起１５２，１５２を収容可能に構成されている。
【００５７】
蓋側係合補助部材１４０は、図１０に示すように、裏面側（図１０における上方）に開口を有する直方体箱状の形態をなし、ＡＢＳ樹脂やポリカーボネート（ＰＣ）等による有色半透明な樹脂材料を用いて射出成形等の成形手段により一体的に成形され、蓋側収容部１２１の蓋側収容空間ＨＳ２内へ収容可能に構成される。また、蓋側係合補助部材１４０の内部には、接続部材１５０の半分を収容可能な蓋側係合空間ＣＳ２が形成される。
【００５８】
蓋側係合補助部材１４０の外面側における長方形断面の長辺を形成して対向する２面には、蓋側取付ガイド部１４１，１４１が凸状に形成されており、蓋側収容部１２１の蓋側取付ガイド溝１２２，１２２とそれぞれ係合するようになっている。そして、蓋側収容部１２１の開口側（裏面側）から、蓋側取付ガイド部１４１，１４１を蓋側取付ガイド溝１２２，１２２と係合させつつ蓋側係合補助部材１４０を蓋側収容部１２１の蓋側収容空間ＨＳ２内へ挿入し、この状態で蓋側係合補助部材１４０を蓋側収容部１２１に溶着させることにより、図１２に示すように、蓋側係合補助部材１４０が蓋側収容部１２１の蓋側収容空間ＨＳ２内に固設される。なお、係合補助部材１４０を蓋側収容部１２１に固定する手段として、溶着に限らず、例えば接着剤等を使用してもよい。
【００５９】
このとき、蓋側係合補助部材１４０が蓋側収容部１２１の蓋側収容空間ＨＳ２内に固設されることで、蓋側収容部１２１、すなわち蓋側係合部１２０の内部に蓋側係合空間ＣＳ２が（蓋側収容空間ＨＳ２に替わり）形成される。このようにして、蓋側係合部１２０が別体の蓋側収容部１２１と蓋側係合補助部材１４０とから構成されているため、蓋側係合部１２０（すなわち、ケース蓋部材７０）の複製がより難しくなり、不正行為の抑止が期待できる。また、蓋側収容部１２１の材質が透明の樹脂材料であるのに対し、蓋側係合補助部材１４０の材質は蓋側収容部１２１と異なる有色半透明の樹脂材料であるため、蓋側収容部１２１に正規の蓋側係合補助部材１４０が固設されているか否か、すなわちケース蓋部材７０が複製品であるか否かを容易に判別することができる。
【００６０】
なお、本体側収容部１１１に本体側係合補助部材１３０が固設されるとともに蓋側収容部１２１に蓋側係合補助部材１４０が固設された状態で、本体側収容部１１１（すなわち、本体側係合部１１０）と蓋側収容部１２１（すなわち、蓋側係合部１２０）とがそれぞれ対向して重なったときには、本体側係合空間ＣＳ１と蓋側係合空間ＣＳ２とが繋がって接続部材１５０を配設可能な係合空間ＣＳが形成されるようになっている。
【００６１】
蓋側係合補助部材１４０における長方形断面の長辺を形成して対向する２面には、蓋側穴部１４２，１４２が形成されており、接続部材１５０の蓋側係合突起１５２，１５２と係合可能に構成されている。なお、図１２に示すように、蓋側係合補助部材１４０が蓋側収容部１２１に固設された状態では、蓋側穴部１４２の外側は蓋側収容部１２１に塞がれ、蓋側係合補助部材１４０、すなわち蓋側係合部１２０の内面側における長方形断面の長辺を形成して対向する２面には、接続部材１５０の蓋側係合突起１５２と係合可能な蓋側凹部１４２ａが形成される。
【００６２】
蓋側係合補助部材１４０の内面側における長方形断面の短辺を形成して対向する２面には、蓋側突起ガイド部１４３，１４３が形成されており、接続部材１５０の本体側係合突起１５１，１５１を収容可能に構成されている。
【００６３】
接続部材１５０は、図１３〜図１６に示すように、一端に開口を有する中空直方体状の形態をなし、ＡＢＳ樹脂やポリカーボネート（ＰＣ）等の樹脂材料を用いて射出成形等の成形手段により一体的に成形される。また、接続部材１５０は、係合空間ＣＳ内に、接続部材１５０の一端側が本体側係合部１１０を向くロック方向およびロック方向とは逆のアンロック方向を向いて配設可能に構成される。
【００６４】
接続部材１５０の一端側における長方形断面の短辺を形成して対向する２面には、本体側係合突起１５１，１５１が内外へ揺動可能に形成されており、接続部材１５０の一端側が本体側係合空間ＣＳ１内に位置すると本体側凹部１３２ａ，１３２ａと係合し、接続部材１５０の一端側が蓋側係合空間ＣＳ２内に位置すると蓋側突起ガイド部１４３，１４３に非係合状態で収容されるようになっている。
【００６５】
接続部材１５０の他端側における長方形断面の長辺を形成して対向する２面には、蓋側係合突起１５２，１５２が内外へ揺動可能に形成されており、図１７に示すように、接続部材１５０の他端側が蓋側係合空間ＣＳ２内に位置すると蓋側凹部１４２ａ，１４２ａと係合し、図１８に示すように、接続部材１５０の他端側が本体側係合空間ＣＳ１内に位置すると本体側係合補助部材１３０の内側面に当接し非係合状態で本体側突起ガイド部１３３，１３３に収容されるようになっている。
【００６６】
接続部材１５０の他端面には、接続部材１５０の向きを識別可能な方向識別マーク１５３が形成されている。方向識別マーク１５３は、図１３に示すように、接続部材１５０の他端面に凹設された「ロック」文字であり、接続部材１５０がロック方向を向いて係合空間ＣＳ内に配設されるときには、方向識別マーク１５３、すなわち接続部材１５０の他端側が前方（蓋側係合部１２０の方）を向くようになっている。これにより、係合空間ＣＳ内における接続部材１５０の配設方向（ロック方向およびアンロック方向）の間違いを防止することができ、さらに、接続部材１５０を介してロック状態にある本体側係合部１１０および蓋側係合部１２０を認識することができる。
【００６７】
なお、方向識別マーク１５３（文字の部分）に他の部分と異なる色を着色してもよく、さらに、接続部材１５０の他端面における方向識別マーク１５３（文字の部分）を除く領域に、方向識別マーク１５３（文字の部分）および接続部材１５０の他端面を除く面と異なる色を着色するようにしてもよい。このようにすれば、方向識別マーク１５３の識別力を向上させることができる。
【００６８】
また、方向識別マーク１５３は、「ロック」文字に限らず、文字、記号、絵柄等を用いてもよい。さらに、方向識別マーク１５３は、接続部材１５０の他端面に印刷、塗装等により形成されてもよく、印刷シール等を貼り付けるようにしてもよい。また、方向識別マーク１５３は、接続部材１５０の他端面に限らず、接続部材１５０の一端面や側面等に、方向識別手段として接続部材１５０の向きを識別可能に設けられていればよい。
【００６９】
このように構成される不正開放防止機構１００において、ケース蓋部材７０をケース本体部材６０へ装着した状態で本体側係合部１１０と蓋側係合部１２０とを連結するには、まず、４つの接続部材１５０，１５０，…の一つをロック方向に向け、接続部材１５０の一端側を本体側係合部１１０における本体側係合空間ＣＳ１内に挿入する。このとき、接続部材１５０の本体側係合突起１５１，１５１は本体側係合補助部材１３０の内側部に当接して内方へ揺動し、接続部材１５０の一端が本体側係合空間ＣＳ１の底部に達すると外方へ復元揺動して本体側係合補助部材１３０の本体側凹部１３２ａ，１３２ａと係合する。すなわち、ロック方向を向いた接続部材１５０の一端側が本体側係合補助部材１３０を介して本体側係合部１１０と係合する。
【００７０】
次に、他の三つの接続部材１５０，１５０，１５０をそれぞれアンロック方向に向け、接続部材１５０の他端側を本体側係合部１１０における本体側係合空間ＣＳ１内に挿入する。このとき、接続部材１５０の蓋側係合突起１５２，１５２は本体側係合補助部材１３０の内側面に当接して内方へ揺動し、この状態で本体側係合補助部材１３０の本体側突起ガイド部１３３，１３３に非係合状態で収容される。すなわち、図１８に示すように、アンロック方向を向いた接続部材１５０の他端側が本体側係合補助部材１３０を介して本体側係合部１１０に挿抜可能に収容保持される。なおこのとき、蓋側係合突起１５２，１５２は弾性力により本体側係合補助部材１３０の内側面を押圧しており、接続部材１５０の他端側が本体側係合部１１０から抜けにくくなっている。
【００７１】
続いて、ケース蓋部材７０を揺動させてケース本体部材６０へ装着し、蓋側係合部１２０（蓋側収容部１２１）が本体側係合部１１０（本体側収容部１１１）と対向して重なる状態にする。そうすると、ロック方向を向いた接続部材１５０においては、接続部材１５０の他端側が蓋側係合部１２０における蓋側係合空間ＣＳ２内に挿入された状態となる。このとき、接続部材１５０の蓋側係合突起１５２，１５２は蓋側係合補助部材１４０の内側部に当接して内方へ揺動し、接続部材１５０の他端が蓋側係合空間ＣＳ２の底部に達すると外方へ復元揺動して蓋側係合補助部材１４０の蓋側凹部１４２ａ，１４２ａと係合する。すなわち、ロック方向を向いた接続部材１５０の他端側が蓋側係合部１２０と係合する。
【００７２】
一方、アンロック方向を向いた接続部材１５０においては、接続部材１５０の一端側が蓋側係合部１２０における蓋側係合空間ＣＳ２内に挿入された状態となる。このとき、接続部材１５０の本体側係合突起１５１，１５１は蓋側係合補助部材１４０の内側面に当接して内方へ揺動し、この状態で蓋側係合補助部材１４０の蓋側突起ガイド部１４３，１４３に非係合状態で収容される。すなわち、アンロック方向を向いた接続部材１５０の一端側が蓋側係合部１２０に挿抜可能に収容される。
【００７３】
このようにして、ケース蓋部材７０を揺動させてケース本体部材６０へ装着し、蓋側係合部１２０が本体側係合部１１０と対向して重なる状態にすると、４つの接続部材１５０，１５０，…の一つが本体側係合空間ＣＳ１と蓋側係合空間ＣＳ２とが繋がって形成された係合空間ＣＳ内にロック方向を向いて配設されるとともに、他の三つの接続部材１５０，１５０，１５０が係合空間ＣＳ内にアンロック方向を向いて配設される。
【００７４】
すなわち、ロック方向を向いた接続部材１５０の一端側が本体側係合補助部材１３０を介して本体側係合部１１０と係合するとともに、他端側が蓋側係合補助部材１４０を介して蓋側係合部１２０と係合することで、本体側係合部１１０と蓋側係合部１２０とが接続部材１５０を介して連結され、図３および図１７に示すように、ケース本体部材６０とケース蓋部材７０とが閉止状態で結合保持される。これにより、本体側係合部１１０と蓋側係合部１２０とを容易に連結させることができ、ケース本体部材６０とケース蓋部材７０とを閉止状態で容易に結合保持することができる。
【００７５】
そして、このような不正開放防止機構１００によりケース本体部材６０とケース蓋部材７０とが閉止状態で結合保持されれば、係合空間ＣＳ内にロック方向を向いて収容された接続部材１５０と本体側係合部１１０および蓋側係合部１２０との係合を解除するのは非常に困難であり、主基板ケース５５（主基板アッセンブリ５０）を開く時には連結部１２５を切断して蓋側係合部１２０とケース蓋部材７０とを切り離す必要があることから、主基板ケース５５（主基板アッセンブリ５０）の開放後にその切断痕跡が明確に残り、不正な開封を早期に発見することができる。
【００７６】
また、接続部材１５０の一端側が本体側係合空間ＣＳ１内に位置して本体側係合突起１５１，１５１が本体側凹部１３２ａ，１３２ａと係合するとともに、接続部材１５０の他端側が蓋側係合空間ＣＳ２内に位置して蓋側係合突起１５２，１５２が蓋側凹部１４２ａ，１４２ａと係合するため、本体側係合部１１０と蓋側係合部１２０とをより容易に連結させることができ、ケース本体部材６０とケース蓋部材７０とを閉止状態で容易に結合保持することができる。
【００７７】
さらに、接続部材１５０は直方体状に形成されており、接続部材１５０に合わせて形成された係合空間ＣＳ内で回転することがないため、接続部材１５０がロック方向を向くときには、容易に本体側係合突起１５１，１５１と本体側凹部１３２ａ，１３２ａとを係合させるとともに蓋側係合突起１５２，１５２と蓋側凹部１４２ａ，１４２ａとを係合させることができ、接続部材１５０がアンロック方向を向くときには、容易に蓋側係合突起１５２，１５２を非係合状態で本体側突起ガイド部１３３，１３３に（本体側係合空間ＣＳ１内に）収容させるとともに本体側係合突起１５１，１５１を非係合状態で蓋側突起ガイド部１４３，１４３に（蓋側係合空間ＣＳ２内に）収容させることができる。
【００７８】
また、接続部材１５０は係合空間ＣＳ内にロック方向およびロック方向とは逆のアンロック方向を向いて配設可能となっているため、本体側係合部１１０と蓋側係合部１２０とをロック状態（ケース蓋部材７０とケース本体部材６０とが結合保持された状態）もしくはアンロック状態（ケース蓋部材７０がケース本体部材６０に着脱可能な状態）で選択的に連結させることができる。
【００７９】
次に、以上のようにしてケース本体部材６０とケース蓋部材７０とが閉止状態で結合保持された主基板アセンブリ５０において、その内部に収容された主制御基板５１の保守点検作業を行う場合について、さらに図１９〜図２１を追加参照しながら説明する。ここで、図１９は開放状態の主基板アッセンブリ５０の斜視図、図２０はロック方向を向いた接続部材１５０が本体側係合部１１０に挿入される状態を示す斜視図、そして図２１はアンロック方向を向いた接続部材１５０が本体側係合部１１０から抜き出された状態を示す斜視図である。
【００８０】
保守点検作業を行うときには、例えば、ニッパ等の工具を用いて蓋側係合部１２０とケース蓋部材７０との連結部１２５（例えば、図３に示すように、ケース蓋部材７０の右端下方に位置する連結部１２５）を切断する。これにより、蓋側係合部１２０とケース蓋部材７０とが切り離されるので、図１９に示すように、主基板ケース５５（主基板アッセンブリ５０）を開放することができ、ケース蓋部材７０の内面側に取り付けられた主制御基板５１の保守点検等を行うことができる。他の三つの接続部材１５０，１５０，１５０は係合空間ＣＳ内にアンロック方向を向いて配設され、本体側係合部１１０および蓋側係合部１２０に挿抜可能に収容されているからである。
【００８１】
本体側係合部１１０および蓋側係合部１２０は、ケース本体部材６０およびケース蓋部材７０の右端にそれぞれ四つずつ設けられているが、本体側係合部１１０と蓋側係合部１２０とを連結させてケース本体部材６０とケース蓋部材７０とを閉止状態で結合保持するときには、本体側係合部１１０および蓋側係合部１２０のいずれか一組を接続部材１５０により連結させる。
【００８２】
このため、本体側係合部１１０と連結した蓋側係合部１２０のケース蓋部材７０との連結部１２５が切断されても、他の組はまだ使用可能であり、上記のように保守点検が完了した後は、未使用のいずれか一組の本体側係合部１１０と蓋側係合部１２０とを接続部材１５０により連結させる。このため、本実施形態における主基板アセンブリ５０の場合には、途中において三度の保守点検が可能である。
【００８３】
未使用のいずれか一組の本体側係合部１１０と蓋側係合部１２０とを接続部材１５０により連結させるには、図２１に示すように、未使用のいずれか一つの接続部材１５０を本体側係合部１１０から抜き出した後、図２０に示すように、この接続部材１５０をロック方向に反転させ、ロック方向を向いた接続部材１５０の一端側を本体側係合部１１０に挿入して係合させた状態で、ケース蓋部材７０を再びケース本体部材６０へ装着すればよい。
【００８４】
以上に説明した本実施形態による主基板アッセンブリ５０によれば、不正開放防止機構１００によりケース本体部材６０とケース蓋部材７０とが閉止状態で結合保持されるため、係合空間ＣＳ内にロック方向を向いて収容された接続部材１５０と本体側係合部１１０および蓋側係合部１２０との係合を解除するのは非常に困難であり、主基板ケース５５（主基板アッセンブリ５０）を開く時には連結部１２５を切断して蓋側係合部１２０とケース蓋部材７０とを切り離す必要があることから、主基板ケース５５（主基板アッセンブリ５０）の開放後にその切断痕跡が明確に残り、不正な開封を早期に発見することができる。
【００８５】
また、接続部材１５０が係合空間ＣＳ内にロック方向およびロック方向とは逆のアンロック方向を向いて配設可能となっているため、本体側係合部１１０と蓋側係合部１２０とをロック状態（ケース蓋部材７０とケース本体部材６０とが結合保持された状態）もしくはアンロック状態（ケース蓋部材７０がケース本体部材６０に着脱可能な状態）で選択的に連結させることができる。
【００８６】
なお、保守点検の際には連結部１２５を切断して主基板ケース５５を開放し、この状態で保守点検が行われるが、ケース本体部材６０およびケース蓋部材７０には複数組の本体側係合部１１０および蓋側係合部１２０が設けられているため、保守点検の完了後、まだ連結部１２５が切断されていない組の本体側係合部１１０および蓋側係合部１２０に、アンロック方向で挿入されていた接続部材１５０を抜き出し反転させて再びロック方向で挿入し、本体側係合部１１０と蓋側係合部１２０とを連結させることで、ケース本体部材６０とケース蓋部材７０とを再度閉止状態で結合保持することができる。
【００８７】
また、ロック方向を向いた接続部材１５０の一端側が本体側係合補助部材１３０を介して本体側係合部１１０と係合するとともに、他端側が蓋側係合補助部材１４０を介して蓋側係合部１２０と係合するため、本体側係合部１１０と蓋側係合部１２０とを容易に連結させることができ、ケース本体部材６０とケース蓋部材７０とを閉止状態で容易に結合保持することができる。
【００８８】
さらに、接続部材１５０の一端側が本体側係合空間ＣＳ１内に位置して本体側係合突起１５１，１５１が本体側凹部１３２ａ，１３２ａと係合するとともに、接続部材１５０の他端側が蓋側係合空間ＣＳ２内に位置して蓋側係合突起１５２，１５２が蓋側凹部１４２ａ，１４２ａと係合するため、本体側係合部１１０と蓋側係合部１２０とをより容易に連結させることができ、ケース本体部材６０とケース蓋部材７０とを閉止状態で容易に結合保持することができる。
【００８９】
また、接続部材１５０は直方体状に形成されており、接続部材１５０に合わせて形成された係合空間ＣＳ内で回転することがないため、接続部材１５０がロック方向を向くときには、容易に本体側係合突起１５１，１５１と本体側凹部１３２ａ，１３２ａとを係合させるとともに蓋側係合突起１５２，１５２と蓋側凹部１４２ａ，１４２ａとを係合させることができ、接続部材１５０がアンロック方向を向くときには、容易に蓋側係合突起１５２，１５２を非係合状態で本体側突起ガイド部１３３，１３３に（本体側係合空間ＣＳ１内に）収容させるとともに本体側係合突起１５１，１５１を非係合状態で蓋側突起ガイド部１４３，１４３に（蓋側係合空間ＣＳ２内に）収容させることができる。
【００９０】
さらに、接続部材１５０の他端面に形成された方向識別マーク１５３により、係合空間ＣＳ内における接続部材１５０の配設方向（ロック方向およびアンロック方向）の間違いを防止することができ、さらに、接続部材１５０を介してロック状態にある本体側係合部１１０および蓋側係合部１２０を認識することができる。
【００９１】
また、本体側係合部１１０が別体の本体側収容部１１１と本体側係合補助部材１３０とから構成され、蓋側係合部１２０が別体の蓋側収容部１２１と蓋側係合補助部材１４０とから構成されるため、本体側係合部１１０および蓋側係合部１２０（すなわち、ケース本体部材６０およびケース蓋部材７０）の複製がより難しくなり、不正行為の抑止が期待できる。
【００９２】
さらに、本体側収容部１１１および蓋側収容部１２１の材質が透明の樹脂材料であるのに対し、本体側係合補助部材１３０および蓋側係合補助部材１４０の材質は本体側収容部１１１および蓋側収容部１２１と異なる有色半透明の樹脂材料であるため、本体側収容部１１１（および蓋側収容部１２１）に正規の本体側係合補助部材１３０（および蓋側係合補助部材１４０）が固設されているか否か、すなわちケース本体部材６０（およびケース蓋部材７０）が複製品であるか否かを容易に判別することができる。
【００９３】
また、ケース本体部材６０の内側ガードリブ６４およびケース蓋部材７０の外側ガードリブ７８により、ケース蓋部材７０の縁部（外側ガードリブ７８）とケース本体部材６０の縁部（縁部当接部６５）との間に若干の隙間を生じさせて、この隙間から針金やセル板等の道具（図示せず）をケース内部に挿入しようとしても、これらの道具をケース蓋部材７０の外側ガードリブ７８とケース本体部材６０の内側ガードリブ６４との間に形成されたラビリンス形状の僅かな隙間に通過させなければならないため、針金やセル板等の道具がケース内部に不正に挿入されるのを防止することができる。
【００９４】
さらに、ケース蓋部材７０に形成された基板当接部７９が主制御基板５１の縁部と当接して、主制御基板５１におけるケース蓋部材７０と対向する面がケース蓋部材７０に覆われる状態で主制御基板５１がケース蓋部材７０の内面側に取り付けられているため、ケース本体部材６０とケース蓋部材７０との隙間から針金やセル板等の道具がケース内部に挿入されても、これらの道具は主制御基板５１におけるケース蓋部材７０と対向する面に到達できないことから、主制御基板５１に対する不正行為をより確実に防止することができる。
【００９５】
また、内部カバー８０の周囲リブ８３が主制御基板５１の縁部と当接し、主制御基板５１におけるケース本体部材６０と対向する面が内部カバー８０に覆われる状態となるため、ケース本体部材６０とケース蓋部材７０との隙間から針金やセル板などの道具がケース内部に挿入されても、これらの道具は主制御基板５１における（ケース蓋部材７０と対向する面に加えて）ケース本体部材６０と対向する面に到達できないことから、主制御基板５１に対する不正行為をより確実に防止することができる。
【００９６】
さらに、主基板ケース５５（ケース本体部材６０およびケース蓋部材７０）の材料としてＡＢＳ樹脂を使用することにより、連結部１２５に対する切断操作を行うと、ＡＢＳ樹脂の成分であるブタジエンがゴム性を有して伸び、部材が割れずに白化しやすいため、その切断痕跡が明確に残りやすいという効果が得られる。また、主基板ケース５５を無理にこじ開けようとしても、同様に部材が白化して（こじ開けた）痕跡が明確に残りやすいという効果が得られる。
【００９７】
なお、上述の実施形態において、ケース本体部材６０の縁部内側に内側ガードリブ６４が形成されるとともに、ケース蓋部材７０の縁部外側に外側ガードリブ７８が形成されて、外側ガードリブ７８が内側ガードリブ６４の外側に位置してケース本体部材６０の縁部当接部６５に当接するようになっているが、これに限られるものではなく、図２２に示すように、ケース本体部材６０の縁部外側に外側ガードリブ２６８が形成されるとともに、ケース蓋部材７０の縁部内側に内側ガードリブ２７４が形成されて、外側ガードリブ２６８が内側ガードリブ２７４の外側に位置してケース蓋部材７０の縁部当接部２７５に当接するようにしてもよい。
【００９８】
また、上述の実施形態において、主基板ケース５５および不正開放防止機構１００を備えた主基板アッセンブリ５０がパチンコ機ＰＭに設けられているが、これに限られるものではなく、例えば、スロットマシンや雀球遊技機等の遊技機に設けられてもよい。
【００９９】
さらに、上述の実施形態において、接続部材１５０における長方形断面の短辺を形成して対向する２面に本体側係合突起１５１，１５１が形成されるとともに、接続部材１５０における長方形断面の長辺を形成して対向する２面に蓋側係合突起１５２，１５２が形成されているが、これに限られるものではなく、接続部材１５０における長方形断面の長辺を形成して対向する２面に本体側係合突起１５１，１５１が形成されるとともに、接続部材１５０における長方形断面の短辺を形成して対向する２面に蓋側係合突起１５２，１５２が形成されてもよい。なおこのとき、本体側凹部および蓋側凹部、そして本体側突起ガイド部および蓋側突起ガイド部の形成位置も逆になる。
【０１００】
また、上述の実施形態において、接続部材１５０が断面長方形の直方体状に成形されているが、これに限られるものではなく、例えば、断面正方形の直方体や立方体状に形成されてもよく、さらには円柱状に成形されてもよい。
【０１０１】
さらに、上述の実施形態において、ケース本体部材６０およびケース蓋部材７０に本体側係合部１１０および蓋側係合部１２０（接続部材１５０等も含む）が四組設けられているが、これに限られるものではなく、一組だけ設けられてもよく、さらに四組以外の複数組設けられてもよい。また、上述の実施形態において、本体側係合部１１０と蓋側係合部１２０とが一度に一組だけ連結されているが、これに限られるものではなく、一度に複数組連結させてもよい。
【０１０２】
【発明の効果】
以上説明したように、本発明による基板ケースの不正開放防止機構によれば、接続部材を本体側係合補助部材と蓋側係合補助部材とに係合させることにより、本体側係合部と蓋側係合部とが連結されるため、本体側係合部と蓋側係合部とを容易に連結させることができ、ケース本体部材とケース蓋部材とを閉止状態で容易に結合保持することができる。
【０１０３】
また、本体側係合部および蓋側係合部の少なくともいずれかにおけるケース本体部材もしくはケース蓋部材との連結部が切断可能に構成されているため、この連結部を切断すればケース本体部材からケース蓋部材を外すことができるが、このように連結部を切断したときにはその破壊痕跡が残るためこれを容易に発見でき、不正行為を効果的に抑止できる。さらに、本体側係合部が別体の本体側収容部と本体側係合補助部材とから構成され、蓋側係合部が別体の蓋側収容部と蓋側係合補助部材とから構成されるため、本体側係合部および蓋側係合部（すなわち、ケース本体部材およびケース蓋部材）の複製がより難しくなり、不正行為の抑止が期待できる。
【図面の簡単な説明】
【図１】本発明に係る基板ケースを備えた遊技機の一例として示すパチンコ機の正面図である。
【図２】上記パチンコ機の裏面側を示す背面図である。
【図３】主基板アッセンブリの斜視図である。
【図４】主基板アッセンブリの側断面である。
【図５】主基板アッセンブリの分解斜視図である。
【図６】ケース蓋部材の背面図である。
【図７】（ａ）は係止アームが係止突起に係止した状態を示す拡大図であり、（ｂ）は係止アームが係止突起に係止した状態を示す拡大側断面図である。
【図８】（ａ）は係止アームが係止突起に係止する前の状態を示す拡大図であり、（ｂ）は係止アームが係止突起に係止する前の状態を示す拡大側断面図である。
【図９】不正開放防止機構に構成される本体側係合部の分解斜視図である。
【図１０】不正開放防止機構に構成される蓋側係合部の分解斜視図である。
【図１１】本体側係合部の正面図である。
【図１２】蓋側係合部の背面図である。
【図１３】不正開放防止機構に構成される接続部材の斜視図である。
【図１４】図１３中の接続部材を反対側から見た斜視図である。
【図１５】（ａ）は接続部材の長方形断面における長辺方向から見た側面図であり、（ｂ）は図１５（ａ）中の矢印XV−XVに沿った平断面図である。
【図１６】（ａ）は接続部材の長方形断面における短辺方向から見た側面図であり、（ｂ）は図１６（ａ）中の矢印XVI−XVIに沿った平断面図である。
【図１７】閉止状態の主基板アッセンブリの側断面図である。
【図１８】開放状態の主基板アッセンブリ５０の側断面図である。
【図１９】開放状態の主基板アッセンブリの斜視図である。
【図２０】ロック方向を向いた接続部材が本体側係合部に挿入される状態を示す斜視図である。
【図２１】アンロック方向を向いた接続部材が本体側係合部から抜き出された状態を示す斜視図である。
【図２２】外側ガードリブおよび内側ガードリブの変形例を示す拡大側断面図である。
【符号の説明】
Ｌ  レバー
ＰＡ  遊技領域
ＰＭ  パチンコ機
ＣＳ  係合空間
ＣＳ１  本体側係合空間
ＣＳ２  蓋側係合空間
ＨＳ１  本体側収容空間
ＨＳ２  蓋側収容空間
１  外枠
２  前枠
３ａ，３ｂ  ヒンジ部材
４  施錠装置
５  ガラス扉
６  球皿
７ａ，７ｂ，７ｃ  ヒンジ機構
８  操作ハンドル
１０  遊技盤
３０  裏セット盤
３１  球貯留タンク
３２  タンクレール
３３  整列待機通路
３４  賞球カセット
３５  賞球排出通路
４０  電源基板アッセンブリ
５０  主基板アッセンブリ
５１  主制御基板（５１ａ  基板取付孔，５１ｂ  ピン孔）
５２  ＣＰＵ
５３  左側接続コネクタ
５４  右側接続コネクタ
５５  主基板ケース
６０  ケース本体部材
６１  補強リブ
６２  ヒンジ軸
６３  係止アーム
６４  内側ガードリブ
６５  縁部当接部
７０  ケース蓋部材
７１  基板取付部（７１ａ  ネジ孔，７１ｂ  ボス部，７１ｃ  基板取付面）
７２  左コネクタ開口部
７３  右コネクタ開口部
７４  ヒンジアーム
７５  係止突起
７６  係止補助突起
７７  指掛け部
７８  外側ガードリブ
７９  基板当接部
８０  内部カバー
８１  位置決めピン
８２  内部カバー取付部（８２ａ  ネジ通過孔）
８３  周囲リブ
８５  蓋側ピン孔
８９  基板取付ネジ
１００  不正開放防止機構
１１０  本体側係合部
１１１  本体側収容部
１１２  本体側取付ガイド溝
１１３  本体側連結ガイドリブ
１１４  本体側リブ係合部
１２０  蓋側係合部
１２１  蓋側収容部
１２２  蓋側取付ガイド溝
１２３  蓋側連結ガイドリブ
１２４  蓋側リブ係合部
１２５  連結部
１３０  本体側係合補助部材
１３１  本体側取付ガイド部
１３２  本体側穴部（１３２ａ  本体側凹部）
１３３  本体側突起ガイド部
１４０  蓋側係合補助部材
１４１  蓋側取付ガイド部
１４２  蓋側穴部（１４２ａ  蓋側凹部）
１４３  蓋側突起ガイド部
１５０  接続部材
１５１  本体側係合突起
１５２  蓋側係合突起
１５３  方向識別マーク
２６８  外側ガードリブ（別実施形態）
２７４  内側ガードリブ（別実施形態）
２７５  縁部当接部（別実施形態）
【図１】
0003691041.tif 000002
【図２】
0003691041.tif 000003
【図３】
0003691041.tif 000004
【図４】
0003691041.tif 000005
【図５】
0003691041.tif 000006
【図６】
0003691041.tif 000007
【図７】
0003691041.tif 000008
【図８】
0003691041.tif 000009
【図９】
0003691041.tif 000010
【図１０】
0003691041.tif 000011
【図１１】
0003691041.tif 000012
【図１２】
0003691041.tif 000013
【図１３】
0003691041.tif 000014
【図１４】
0003691041.tif 000015
【図１５】
0003691041.tif 000016
【図１６】
0003691041.tif 000017
【図１７】
0003691041.tif 000018
【図１８】
0003691041.tif 000019
【図１９】
0003691041.tif 000020
【図２０】
0003691041.tif 000021
【図２１】
0003691041.tif 000022
【図２２】
0003691041.tif 000023